【手続補正書】
【提出日】平成27年11月12日(2015.11.12)
【手続補正１】
【補正対象書類名】特許請求の範囲
【補正対象項目名】全文
【補正方法】変更
【補正の内容】
【特許請求の範囲】
【請求項１】
一般式（１）の多環式芳香族炭化水素化合物：
【化１】
2015509987.tif 000001
［式中、Ｐは、置換されていてもよいフェニル環を含む少なくとも３個の繰返し単位を有する重合体部分を表し、
Ｑは、その基本構造にＳ原子又はＳ（＝Ｏ）２部分を含む多環式芳香族炭化水素部分を表し、
Ｙは、（ｉ）ハロゲン、（ｉｉ）３〜約８個の環員を有し、Ｎ原子を介してＱに結合している置換されていてもよいＮ−ヘテロ脂環式基、及び（ｉｉｉ）置換されていてもよいフェノキシ基から選択され、
ｘは０〜４の整数を表し、ｗは０〜４の整数を表し、
ｗとｘは同時に０ではなく、
ただし、ｘ＝０のとき、少なくとも１つのＹは（ｉｉ）と（ｉｉｉ）から選択される］。
【請求項２】
Ｑが式（Ａ）又は（Ａ’）の部分を表す、請求項１に記載の化合物：
【化２】
2015509987.tif 000002
［式中、ＺはＯ、Ｓ、又はＮ−Ｒを表し、
Ｘは同じでも異なってもよく、Ｏ、Ｓ、又はＮＲ’を表し、
Ｒ及びＲ’は独立して、１〜約２０個の炭素原子を有する置換されていてもよい脂肪族、脂環式、芳香族、ヘテロ芳香族、アルキルアリール、アルキルへテロアリール、アリールアルキル、又はヘテロアリールアルキル基を表し、Ｒ及びＲ’はまた、それらが結合しているＮ原子と一緒になって、置換及び／又は縮合されていてもよい５〜７員環を形成してもよい］。
【請求項３】
Ｑが式（Ｂ）又は（Ｂ’）の部分を表す、請求項１に記載の化合物：
【化３】
2015509987.tif 000003
［式中、ＺはＯ、Ｓ、又はＮ−Ｒを表し、
Ｘは同じでも異なってもよく、Ｏ、Ｓ、又はＮＲ’を表し、
Ｒ及びＲ’は独立して、１〜約２０個の炭素原子を有する置換されていてもよい脂肪族、脂環式、芳香族、ヘテロ芳香族、アルキルアリール、アルキルへテロアリール、アリールアルキル、又はヘテロアリールアルキル基を表し、Ｒ及びＲ’はまた、それらが結合しているＮ原子と一緒になって、置換及び／又は縮合されていてもよい５〜７員環を形成してもよい］。
【請求項４】
ｘが１であり、ｗ＝０である、請求項１に記載の化合物。
【請求項５】
ｘが０であり、ｗが２又は４以下である、請求項１〜３のいずれか一項に記載の化合物。
【請求項６】
（ｘ＋ｗ）が約４以下である、請求項１〜４のいずれか一項に記載の化合物。
【請求項７】
式（Ｉ）又は（ＩＩ）又は（ＩＩＩ）又は（ＩＶ）又は（Ｖ）又は（ＶＩ）の化合物である、請求項１〜６のいずれか一項に記載の化合物：
【化４】
2015509987.tif 000004
［式（ＩＩＩ）及び（ＶＩ）の場合、ＺはＯ、Ｓ、又はＮ−Ｒを表し、Ｘは同じでも異なってもよく、Ｏ、Ｓ、又はＮＲ’を表し、
Ｒ及びＲ’は独立して、１〜約２０個の炭素原子を有する置換されていてもよい脂肪族、脂環式、芳香族、ヘテロ芳香族、アルキルアリール、アルキルへテロアリール、アリールアルキル、又はヘテロアリールアルキル基を表し、Ｒ及びＲ’は、それらが結合しているＮ原子と一緒になって、置換及び／又は縮合されていてもよい５〜７員環を形成してもよく、
Ｒ１、Ｒ２、及びＲ３はそれぞれ独立して、水素、Ｃ１〜Ｃ４アルキル、Ｃ１〜Ｃ４アルキル−ＣＯＯＨ、Ｃ１〜Ｃ４アルキル−ＳＯ３Ｈ、Ｃ１〜Ｃ４アルコキシ、モノ（Ｃ１〜Ｃ４）アルキルアミノ、ジ（Ｃ１〜Ｃ４）アルキルアミノ、Ｃ１〜Ｃ４アミノアルキル、ハロゲン、シアノ、ニトロ、及びＳＯ３Ｈから選択され、アルキル基は置換されていてもよく、
Ｙは、（ｉ）ハロゲン、（ｉｉ）３〜約８個の環員を有し、Ｎ原子を介して芳香族環に結合している置換されていてもよいＮ−ヘテロ脂環式基、及び（ｉｉｉ）Ｏ原子を介して芳香族環に結合している置換されていてもよいフェノキシ基であって、ハロゲン、ニトロ、シアノ、ＮＲＲ’、ＳＯ３Ｈ及びＣＯＯＨとこれらのスルホン酸基及びカルボン酸基の塩及び誘導体、ＯＨ、環員としてＯ、Ｎ、及びＳから選択される３個までのヘテロ原子及び３〜約８個の環員を含むヘテロシクロアルキル、並びに１〜約１０個の炭素原子を含む（シクロアルキルを含む）アルキル基及び（シクロアルコキシを含む）アルコキシ基から選択される１個又は複数の置換基で置換されていてもよいフェノキシ基から選択され、
Ｐは、置換されていてもよいフェニル環を含む少なくとも３個の繰返し単位を有する重合体部分を表し、
ｗは０〜４の整数である］。
【請求項８】
式（Ｃ）、（Ｄ）又は（Ｅ）又は（Ｆ）又は（Ｇ）又は（Ｈ）のうちの１つの化合物である、請求項１〜７のいずれか一項に記載の化合物：
【化５】
2015509987.tif 000005
［式（Ｅ）及び（Ｈ）の場合、ＺはＯ、Ｓ、又はＮ−Ｒを表し、Ｘは同じでも異なってもよく、Ｏ、Ｓ、又はＮＲ’を表し、
Ｒ及びＲ’は独立して、１〜約２０個の炭素原子を有する置換されていてもよい脂肪族、脂環式、芳香族、ヘテロ芳香族、アルキルアリール、アルキルへテロアリール、アリールアルキル、又はヘテロアリールアルキル基を表し、Ｒ及びＲ’は、それらが結合しているＮ原子と一緒になって、置換及び／又は縮合されていてもよい５〜７員環を形成してもよく、
Ｒ１、Ｒ２、及びＲ３はそれぞれ独立して、水素、Ｃ１〜Ｃ４アルキル、Ｃ１〜Ｃ４アルキル−ＣＯＯＨ、Ｃ１〜Ｃ４アルキル−ＳＯ３Ｈ、Ｃ１〜Ｃ４アルコキシ、モノ（Ｃ１〜Ｃ４）アルキルアミノ、ジ（Ｃ１〜Ｃ４）アルキルアミノ、Ｃ１〜Ｃ４アミノアルキル、ハロゲン、シアノ、ニトロ、及びＳＯ３Ｈから選択され、アルキル基は置換されていてもよく、
Ｙは、（ｉ）ハロゲン、（ｉｉ）３〜約８個の環員を有し、Ｎ原子を介して芳香族環に結合している置換されていてもよいＮ−ヘテロ脂環式基、及び（ｉｉｉ）Ｏ原子を介して芳香族環に結合している置換されていてもよいフェノキシ基であって、ハロゲン、ニトロ、シアノ、ＮＲＲ’、ＳＯ３Ｈ及びＣＯＯＨとこれらのスルホン酸基及びカルボン酸基の塩及び誘導体、ＯＨ、環員としてＯ、Ｎ、及びＳから選択される３個までのヘテロ原子及び３〜約８個の環員を含むヘテロシクロアルキル、並びに１〜約１０個の炭素原子を含む（シクロアルキルを含む）アルキル基及び（シクロアルコキシを含む）アルコキシ基から選択される１個又は複数の置換基で置換されていてもよいフェノキシ基から選択され、
Ｐは、置換されていてもよいフェニル環を含む少なくとも３個の繰返し単位を有する重合体部分を表し、
ｘは０〜４の整数であり、ｗは０〜４の整数である］。
【請求項９】
ｘが０である、請求項８に記載の化合物。
【請求項１０】
少なくとも１つのＹ基が３〜約８個の環員を有するヘテロ脂環式基から選択され、環員は、Ｎ、Ｓ、及びＯから選択される１〜約３個のヘテロ原子を含み、ただし、少なくとも１つの環員はＮであり、ヘテロ脂環式化合物は、約１０個までの炭素原子を含むアルキル基及びアルコキシ基から選択される１個又は複数の置換基で置換されていてもよい、請求項１〜９のいずれか一項に記載の化合物。
【請求項１１】
少なくとも１つのＹ基が、置換されていてもよいアザシクロオクタン、置換されていてもよいアゼパン、置換されていてもよいピペリジン、置換されていてもよいピペラジン、置換されていてもよいピロリジン、置換されていてもよいアゼチジン、置換されていてもよいアジリジン、置換されていてもよいモルホリン、置換されていてもよいオキサゾリジン、置換されていてもよいピラゾリジン、置換されていてもよいイソピラゾリジン、置換されていてもよいイソオキサゾリジン、及び置換されていてもよいチアゾリジンから選択されるヘテロ脂環式化合物の残基であり、１個又は複数の置換基はそれぞれ、Ｃ１〜Ｃ４アルコキシ基及びＣ１〜Ｃ６アルキル基から選択される、請求項１〜１０のいずれか一項に記載の化合物。
【請求項１２】
Ｐが一般式（２）の重合体化合物の残基である、請求項１〜４及び請求項６〜１１のいずれか一項に記載の化合物：
【化６】
2015509987.tif 000006
［式中、Ｒ４基は互いに同じか又は異なり、Ｃ１〜Ｃ１０アルキル及びＣ１〜Ｃ４アルコキシから選択され、
ｍは１〜約３０の整数を表し、
ｎは１〜約３の整数を表す］。
【請求項１３】
請求項１〜１２のいずれか一項に記載の化合物を作製する方法であって、非プロトン性極性有機溶媒中で、式Ｑ−（Ｈａｌ）ｖの化合物（式中、Ｈａｌはハロゲンを表し、ｖは２〜８の整数を表す）を、Ｎ含有脂環式化合物及び式Ｐ−ＯＨの重合体化合物と連続的に反応させるステップを含む、方法。
【請求項１４】
少なくともＮ含有脂環式化合物が関与する反応が、無機塩基及び非求核性有機強塩基の少なくとも１つの存在下で実施される、請求項１３に記載の方法。
【請求項１５】
以下のとおり表される、請求項１３又は１４のいずれか一項に記載の方法：
【化７】
2015509987.tif 000007
［式中、
（）はＣＨ２を表し、少なくとも１つのＣＨ２基はＯ、ＮＨ、又はＳで置き換えることができ、
ｕは２〜７であり、
ｖは２〜８の整数である］。
【請求項１６】
極性液体媒体、及び媒体に溶解又は分散させた請求項１〜１２のいずれか一項に記載の少なくとも１つの化合物を含む、印刷インキ組成物。
【請求項１７】
請求項１６に記載の印刷インキ組成物で作製されるマーキング又はセキュリティ機能。
【請求項１８】
請求項１〜１２のいずれか一項に記載の少なくとも１つの化合物を含むマーキング又はセキュリティ機能。
【請求項１９】
スレッド、ラベル、バーコード、２Ｄコード、パターン、しるし、及びデータマトリックスの少なくとも１つを含む、請求項１７又は１８に記載のマーキング又はセキュリティ機能。
【請求項２０】
請求項１７〜１９のいずれか一項に記載のマーキング又はセキュリティ機能を含む物品。
【請求項２１】
マーキング又はセキュリティ機能が物品上に層として存在する、請求項２０に記載の物品。
【請求項２２】
コード化又は暗号化された情報をもつことがある又はもつことがない缶、金属、アルミニウム箔、カートリッジ、カプセル、ガラス製物品、セラミック製物品、パッケージング、銀行券、旅券、セキュリティ文書、有価文書、チケット、スレッド、ラベル、カード、商品、及びタバコパッケージングの少なくとも１つである、請求項２０又は２１に記載の物品。
【請求項２３】
請求項１７〜１９のいずれか一項に記載のマーキング又はセキュリティ機能を有する物品を用意するステップを含む、物品を認証する方法。
【請求項２４】
請求項１６に記載の印刷インキ組成物を物品に塗布するステップを含む、物品を認証する方法。
【請求項２５】
少なくとも約０．１％のポリマー分子に１〜４個の式−Ｑ−（Ｙ）ｗの残基が結合している［式中、Ｑは、請求項２に記載の式（Ａ）若しくは（Ａ’）又は請求項３に記載の（Ｂ）若しくは（Ｂ’）の部分を表し、Ｙは、（ｉ）ハロゲン、及び（ｉｉ）少なくとも１つがＮである３〜約８個の環員を有し、Ｎ原子を介してＱに結合している置換されていてもよいＮ−ヘテロ脂環式基、及び／又はＯ原子を介してＱに結合している置換されていてもよいフェノール基から選択され、ただし、少なくとも１つのＹは（ｉｉ）を表し、ｗは１〜４の整数を表し、ただし、さらにＱは同時に４個までのポリマー分子に結合していてもよい］、ポリマー。
【請求項２６】
一般式（２）の化合物である、請求項２５に記載のポリマー：
【化８】
2015509987.tif 000008
［式中、Ｒ４基は互いに同じか又は異なり、Ｃ１〜Ｃ１０アルキル及びＣ１〜Ｃ４アルコキシから選択され、
ｍは１〜約３０の整数を表し、
ｎは１〜約３の整数を表す］。
【請求項２７】
式（Ｂ）又は（Ｂ’）の、置換されていてもよい化合物：
【化９】
2015509987.tif 000009
［式中、ＺはＯ、Ｓ、又はＮ−Ｒを表し、Ｘは同じでも異なってもよく、Ｏ、Ｓ、又はＮＲ’を表し、
Ｒ及びＲ’は独立して、１〜約２０個の炭素原子を有する置換されていてもよい脂肪族、脂環式、芳香族、ヘテロ芳香族、アルキルアリール、アルキルへテロアリール、アリールアルキル、又はヘテロアリールアルキル基を表し、Ｒ及びＲ’はまた、それらが結合しているＮ原子と一緒になって、置換及び／又は縮合されていてもよい５〜７員環を形成してもよい］。
【請求項２８】
式（Ｃ）、（Ｄ）又は（Ｅ）又は（Ｆ）又は（Ｇ）又は（Ｈ）のうちの１つの化合物である、請求項２７に記載の化合物：
【化１０】
2015509987.tif 000010
［式（Ｅ）及び（Ｈ）の場合、ＺはＯ、Ｓ、又はＮ−Ｒを表し、Ｘは同じでも異なってもよく、Ｏ、Ｓ、又はＮＲ’を表し、
Ｒ及びＲ’は独立して、１〜約２０個の炭素原子を有する置換されていてもよい脂肪族、脂環式、芳香族、ヘテロ芳香族、アルキルアリール、アルキルへテロアリール、アリールアルキル、又はヘテロアリールアルキル基を表し、Ｒ及びＲ’は、それらが結合しているＮ原子と一緒になって、置換及び／又は縮合されていてもよい５〜７員環を形成してもよく、
Ｒ１、Ｒ２、及びＲ３はそれぞれ独立して、水素、Ｃ１〜Ｃ４アルキル、Ｃ１〜Ｃ４アルキル−ＣＯＯＨ、Ｃ１〜Ｃ４アルキル−ＳＯ３Ｈ、Ｃ１〜Ｃ４アルコキシ、モノ（Ｃ１〜Ｃ４）アルキルアミノ、ジ（Ｃ１〜Ｃ４）アルキルアミノ、Ｃ１〜Ｃ４アミノアルキル、ハロゲン、シアノ、ニトロ、及びＳＯ３Ｈから選択され、アルキル基は置換されていてもよく、
Ｙは、（ｉ）ハロゲン、（ｉｉ）３〜約８個の環員を有し、Ｎ原子を介して芳香族環に結合している置換されていてもよいＮ−ヘテロ脂環式基、及び（ｉｉｉ）Ｏ原子を介して芳香族環に結合している置換されていてもよいフェノキシ基であって、ハロゲン、ニトロ、シアノ、ＮＲＲ’、ＳＯ３Ｈ及びＣＯＯＨとこれらのスルホン酸基及びカルボン酸基の塩及び誘導体、ＯＨ、環員としてＯ、Ｎ、及びＳから選択される３個までのヘテロ原子及び３〜約８個の環員を含むヘテロシクロアルキル、並びに１〜約１０個の炭素原子を含む（シクロアルキルを含む）アルキル基及び（シクロアルコキシを含む）アルコキシ基から選択される１個又は複数の置換基で置換されていてもよいフェノキシ基から選択され、
Ｐは、置換されていてもよいフェニル環を含む少なくとも３個の繰返し単位を有する重合体部分を表し、
ｘは０〜４の整数であり、ｗは０〜４の整数である］。